(57)【要約】  【課題】  薄型で簡単な係止機構によって挿脱操作が簡便に行え、確実かつ安定した係止機能を発揮できる差込みタイプのバックルを提供する。  【解決手段】  バックルは樹脂製の雄部材１と雌部材２から形成し、雄部材１は一端に取付杆４と基杆５を側枠６に架設し、基杆５の前面に一対のガイド杆９とその間に先端に係止頭部１１を備えた操作片１０を突設し、係止頭部１１の基部に係止部１３を設け、雌部材２は側枠２２間に取付杆２０と係止杆２１を架設し、係止杆２１の内側縁部に被係止部２５を設け、側枠２２間であって係止杆２１の下面に係止頭部１１が挿通できる挿通部２３を設け、側枠２２の外側にガイド片２６を突設してガイド杆９をガイドし、係止状態にある係止頭部１１は露呈し押圧可能に形成した差込みタイプのバックルである。  【選択図】  図１
2005058442.tif 000002
【特許請求の範囲】
【請求項１】
差込みタイプの雄部材１と雌部材２とからなるバックルにおいて、雄部材１は一端に取付杆４、間隔をおいて基杆５を側枠６に設け、基杆５に一対のガイド杆９を前方へ突設し、ガイド杆９の間に先端側に係止頭部１１を備えた操作片１０を弾発可能に突設し、雌部材２は側枠２２間に取付杆２０と係止杆２１を架設し、係止杆２１の内縁に被係止部２５を設け、側枠２２間と係止杆２１の下面に係止頭部１１の挿通部２３を設け、側枠２２の外側にガイド片２６を突設してガイド杆９をガイド可能に形成してなることを特徴とするバックル。
【請求項２】
雄部材１の係止頭部１１の上面は前傾で先端を薄く形成して基部１２に係止部１３を設け、雌部材２の係止杆２１の下面も傾斜させ先端に鋭角状の被係止部２５を形成して係止可能に形成してなる請求項１記載のバックル。
【請求項３】
雌部材２の取付杆２０と係止杆２１との間に上下に貫通する開口部２４を設けて係止頭部１１を押圧可能に形成してなる請求項１記載のバックル。
【請求項４】
雌部材２のガイド片２６は側枠２２の下側で側方へ突出して凹部２７を形成し、ガイド片２６の上方は開放状態に形成し、雄部材１のガイド杆９の下面は雌部材２のガイド片２６と同形の凹部１４を形成し重合可能に形成してなる請求項１記載のバックル。
【請求項５】
雄部材１の一対のガイド杆９の間隔は前端へ向け漸次拡開し、雌部材２の側枠２２の外側面は前端へ向け漸次狭窄し、ガイド杆９と側枠２２とを接触可能に形成してなる請求項１記載のバックル。  
【請求項６】
雄部材１のガイド杆９の先端を操作片１０における係止部１３よりも前方に位置する形に配設してなる請求項１記載のバックル。
【請求項７】
雌部材２の側枠２２の外側面に雄部材１のガイド杆９と同形の間隔をおいて外被壁２９を立設し、ガイド杆９を外被可能に形成してなる請求項１記載のバックル。
【請求項８】
雌部材２のガイド片２６の根元の壁面２８を前傾させ、雄部材１のガイド杆９の前端面を後傾させてそれぞれ衝合面３０，１６を形成し、ガイド片２６の前端面を前傾させ、ガイド杆９の凹部１４における根元の壁面１７を後傾させてそれぞれ衝合面３０，１６を形成し、ガイド片２６とガイド杆９が衝止可能に形成してなる請求項１記載のバックル。
【請求項９】
雌部材２のガイド片２６の基部に間隙部３１を凹設し、雄部材１のガイド杆９の前端下面に間隙部３１に嵌入可能な突部１５を突設して係合可能に形成してなる請求項１記載のバックル。
【請求項１０】
雄部材１の操作片１０は基杆５の下部から前方へ突設して弾発可能に形成してなる請求項１記載のバックル。
【発明の詳細な説明】
【技術分野】
【０００１】
この発明は、ベルトの相互連結、また衣服、鞄などの緊締または他の部材を連結する場合、あるいは固定する場合に用いる止具であって、止具は雌部材と雄部材とから形成し、差込みタイプによるバックルに関するものである。
【背景技術】
【０００２】
従来のベルトの連結、または衣服、鞄などの緊締または他の部材を連結する場合、あるいは固定する場合に使用する差込みタイプのバックルは、各種タイプのバックルは数多く存在する。これらバックルの中で雄部材が一対のガイド杆を突設し、ガイド杆の間に先端に係止部を備えた係止片を突設し、雌部材は一対のガイド杆と係止片とを収容できる箱形のケースで、ケースの上方から係止片を押圧し、雌部材と雄部材との係合を解除分離できるバックルが知られている。
【０００３】
一例として、図１８に示すように、ベルト取付環の基部の一端に一対の弾性片を突設し、この弾性片の間に先端に膨出部を設けて係止段部を形成した係止杆を突設した雄部材と、ベルト取付環の基部の一端に一対の弾性片と係止杆とを収納できる上下両面および側面を囲った収納室を形成した囲こう部材を設け、この上面に係止杆の係止段部を押下できる中具の押圧板を設け、また囲こう部材の下側に弾性片を押し上げる押圧突起を設けた雌部材とから形成したバックルが知られている。
【０００４】
また、図１９に示すように、雌部材は上面に凹状に開放された開放面を設け、下面に上面の非開放面を開放した開放面のある扁平の箱形部材から形成し、一端にベルト挿通孔、他端には中央に広幅の着脱舌片が挿入できる挿入口と、その両側にガイド片挿入口からなる挿脱口を設け、上面の非開放面は下方が開放され、先端側が内方へ傾斜させ先端に係止部を形成した係止片を設け、雄部材は一端にベルト連結部、他端の中央に挿入口へ挿入できる広幅の着脱舌片、その両側にガイド挿入口へ挿入できるガイド片を設け、ガイド片は中央の着脱舌片の係止部を係止片の内壁に押圧するための半円形の隆起部を備えたバックルが知られている。
【特許文献１】実公昭６３−４５９２９号公報
【特許文献２】特開平６−３１９６０５号公報公報
【発明の開示】
【発明が解決しようとする課題】
【０００５】
前述の図１８に示した差込みタイプのバックルは、雌部材が雄部材を収納できる収納室を備えた囲こう部材と、係止杆を押下させ係合を解除できる押圧板を備えた中具とから形成されたバックルであり、囲こう部材は上面を前壁、下面を後壁、側面を側壁で囲んだ箱型形状で、かつ前壁の開口部に中具の押圧板を配した形態であり、バックルの構造上雌部材は分厚くなり、その上中具を配設する必要があり、部品点数が多く組立てに手数を要しコスト高になり、また雄部材の係止杆、弾性片を雌部材の囲こう部材に挿入する方向が一定の水平方向であり、傾けて挿入することができないので、挿脱操作がきわめて面倒であるなど問題点がある。
【０００６】
また、図１９に示された差込みタイプのバックルは、雌部材は上面が凹状に開放された開放面を有し、下面は上面における非開放面が開放された開放面を有する扁平な箱形部材から形成されたものであり、バックルの構造上雌部材は分厚くなりかつ中央に着脱舌片が挿入できる挿入口と、その両側にガイド片が挿入できる挿入口とを隔壁を設けて区切り、この隔壁は係止片の両側まで延設されたもので、係止片をはじめ雌部材の構造が複雑であり、コスト高になり、また雄部材の着脱舌片、ガイド片を雌部材の箱形部材に挿入する方向が一定の水平方向であり、傾けて挿入することができないので、挿脱操作がきわめて面倒であるなど問題点がある。
【０００７】
この発明は、上述の問題点を考慮して発明されたものであり、請求項１記載の発明は雌部材、雄部材から形成した差込みタイプのバックルを全体が薄型になるように形成し、雌部材と雄部材との係止機構を簡単な構造で形成し、雄部材を雌部材に対し、一定の水平方向のみでなく雄部材を傾けて挿入することも可能であり、係脱操作が簡便に行うことができ、その上確実かつ安定した係止機能が発揮できる差込みタイプのバックルを提供することが主たる目的である。
【０００８】
請求項２記載の発明は、請求項１記載の発明の目的に加え、雄部材における係止部を備えた操作片を雌部材へ挿入する挿入操作が簡易に行うことができ、かつ雌部材においても簡単な構造で被係止部を形成することができる差込みタイプのバックルを提供することが目的である。
【０００９】
請求項３記載の発明は、請求項１記載の発明の目的に加え、雌部材に対し雄部材を差し込んだとき、雄部材の操作片に備えた係止頭部を押圧して係止機能を簡易に解除できる構成を備えた雌部材からなる差込みタイプのバックルを提供することが目的である。
【００１０】
請求項４記載の発明は、請求項１記載の発明の目的に加え、雌部材の側方に雄部材のガイド杆を円滑にガイドでき、かつガイド部分が露呈し目視して操作ができ、雄部材は雌部材のガイド片に対し確実に重合保持できるガイド杆とガイド片を備えた差込みタイプのバックルを提供することが目的である。
【００１１】
請求項５および６記載の発明は、それぞれ請求項１記載の発明の目的に加え、雄部材を雌部材に差込むとき、円滑な差込み操作ができ、かつ安定した差込み状態を保持できる。また雄部材の操作片に設けた係止部を雌部材の係止杆に設けた被係止部とをガイド杆が確実かつ安定した状態でガイドし係脱が円滑に行える差込みタイプのバックルを提供することが目的である。
【００１２】
請求項７，８および９記載の発明は、それぞれ請求項１記載の発明の目的に加え、雄部材と雌部材が係止したとき、バックルの左右方向へのがたつきを阻止できる機構、またはバックルの上下方向へのがたつきを阻止できる機構、あるいはバックルの前後方向へのがたつきを阻止できる機構をそれぞれ備えた差込みタイプのバックルを提供することが目的である。
【００１３】
請求項１０記載の発明は、請求項１記載の発明の目的に加え、雄部材に形成した操作片は容易に弾性変形できる形態に形成し、雄部材と雌部材との挿脱操作が簡易に行える差込みタイプのバックルを提供することが目的である。
【課題を解決するための手段】
【００１４】
前記の目的を達成するため、この発明のうち請求項１記載の発明は、雌部材２に雄部材１を挿脱自在に形成した差込みタイプのバックルにおいて、雄部材１は一端にベルト取付用の取付杆４と、その内側に間隔をおいて基杆５を側枠６に設け、この基杆５に一対のガイド杆９を前方へ突出状に設け、この一対のガイド杆９の間に先端側において上方へ膨出する係止頭部１１を備えた操作片１０を上下方向へ弾性変形ができるように形成する。
【００１５】
雌部材２は、両側に配した側枠２２間にベルト取付用の取付杆２０と、係止頭部１１と係止できる係止杆２１とを架設し、この係止杆２１の内側縁部に被係止部２５を設け、雌部材２の側枠２２間であって係止杆２１の下面に、雄部材１の操作片１０に設けた係止頭部１１が挿通することができる挿通部２３を設け、側枠２２の外側にガイド杆９をガイドできるガイド片２６を側方へ突出する形に設けた差込みタイプのバックルを主な構成とするものである。
【００１６】
請求項２記載の発明は、請求項１記載の発明の構成に加え、雄部材１は操作片１０の先端側に設けた係止頭部１１の上面を前方へ向けて傾斜させることによって、先端部分を薄く形成し、係止頭部１１の内側基部１２に雌部材２の被係止部２５と係止できる係止部１３を設け、また雌部材２の係止杆２１の下面も取付杆２０側へ向けて傾斜させることによって、先端部分に鋭角状の被係止部２５を形成し、係止部１３と被係止部２５とが係止できるように形成した差込みタイプのバックルである。
【００１７】
請求項３記載の発明は、請求項１記載の発明の構成に加え、雌部材２のベルト取付用の取付杆２０と、係止頭部１１を係止する係止杆２１との間に上下方向に貫通する開口部２４を設け、雌部材２に挿通される雄部材１の操作片１０の係止頭部１１を上方から押圧し、係止動作を解除できるように形成した差込みタイプのバックルである。
【００１８】
請求項４記載の発明は、請求項１記載の発明の構成に加え、雌部材２に設置するガイド片２６は、側枠２２の下側から側方へ突出させて上面に凹部２７を形成し、ガイド片２６の凹部２７の上方は開放状態に形成し、雄部材１に設置するガイド杆９の下面にガイド片２６の凹部２７に重合できる凹部１４を凹設し、ガイド杆９とガイド片２６とが重合できるように形成した差込みタイプのバックルである。
【００１９】
請求項５記載の発明は、請求項１記載の発明の構成に加え、雄部材１に突設した一対のガイド杆９の横幅方向の間隔は、雄部材１の前端へ向けて漸次拡開する形状に形成し、また雌部材２の両側に配した側枠２２の外側面は雌部材２の前端へ向けて漸次狭窄する形状に形成し、ガイド杆９の内側面と側枠２２の外側面とが接触できるように形成した差込みタイプのバックルである。
【００２０】
請求項６記載の発明は、請求項１記載の発明の構成に加え、雄部材１に設置したガイド杆９の先端部分を、ガイド杆９の間に設置した操作片１０における係止頭部１１の基部１２に設けた係止部１３よりも前方に位置する形態に配設した差込みタイプのバックルで
ある。
【００２１】
請求項７記載の発明は、請求項１記載の発明の構成に加え、雌部材２における両側の側枠２２の外側面に雄部材１のガイド杆９の形状と同一の形状、すなわちガイド杆９の横幅と一致する形でガイド杆９の外側面を包被できる外被壁２９を立設した差込みタイプのバックルである。
【００２２】
請求項８記載の発明は、請求項１記載の発明の構成に加え、雌部材２に設置したガイド片２６の根元すなわちガイド片９の先端と当接する壁面２８を前傾状すなわち上面が突出する斜面に形成し、雄部材１に設置したガイド杆９の前端面を後傾状すなわち上面が後退する斜面に形成してそれぞれ衝合面３０，１６を形成し、かつまたガイド片２６の前端面を前傾状すなわち上面が突出する斜面に形成し、雄部材１の凹部１４における根元の壁面１７を後傾状すなわち上面が後退する斜面に形成してそれぞれ衝合面３０，１６を形成し、ガイド片２６とガイド杆９とが衝止できるように形成した差込みタイプのバックルである。
【００２３】
請求項９記載の発明は、請求項１記載の発明の構成に加え、雌部材２におけるガイド片２６の付根に空隙または凹陥状の間隙部３１を凹設し、雄部材１におけるガイド杆９の前端下面に前記間隙部３１に嵌入できる突部１５を下方へ向けて突設して係合できるように形成した差込みタイプのバックルである。
【００２４】
請求項１０記載の発明は、請求項１記載の発明の構成に加え、雄部材１の前面に突設した操作片１０は、基杆５の前面下部から前方へ薄肉状で水平に突出する形態に形成した差込みタイプのバックルである。
【発明の効果】
【００２５】
この出願の発明の効果として、請求項１記載の発明は、差込みタイプのバックルにおいて、雄部材は一端に取付杆、間隔をおいて側枠に基杆を設け、基杆に一対のガイド杆を前方へ突設し、ガイド杆の間に先端側に係止頭部を備えた操作片を弾発可能に突設し、雌部材は側枠間に取付杆と係止杆を架設し、係止杆の内縁に被係止部を設け、側枠間と係止杆の下面に係止頭部の挿通部を設け、側枠の外側にガイド片を突設してガイド杆をガイド可能に形成したことによって、バックルの中央に配した係止機構は簡単な構造で、その両側に安定した係止を得るためのガイド機構を配して有効な係止機能が発揮でき、また、雄部材を雌部材に対し、傾けて挿脱することができ、かつバックル全体を薄型に仕上げることができる効果がある。
【００２６】
請求項２記載の発明は、請求項１記載の発明の効果に加え、雄部材の係止頭部の上面は前傾で先端を薄く形成して基部に係止部を設け、雌部材の係止杆の下面も傾斜させ先端に鋭角状の被係止部を形成して係止可能に形成したことによって、より的確に水平状は勿論、傾斜状でも雄部材を雌部材に対し、簡便に挿脱操作ができる効果がある。
【００２７】
請求項３記載の発明は、請求項１記載の発明の効果に加え、雌部材の取付杆と係止杆との間に上下に貫通する開口部を設けて係止頭部を押圧可能に形成したことによって、雄部材の係止頭部を目視して直接押圧できるから、係止動作を確実かつ容易に解除できる効果がある。
【００２８】
請求項４記載の発明は、請求項１記載の発明の効果に加え、雌部材のガイド片は側枠の下側で側方へ突出して凹部を形成し、ガイド片の上方は開放状態に形成し、雄部材のガイド杆の下面は雌部材のガイド片と同形の凹部を形成し重合可能に形成したことによって、雄部材のガイド杆を目視して円滑にガイドし、雌部材と安定した状態で重合保持できる効果がある。
【００２９】
請求項５および６記載の発明は、それぞれ請求項１記載の発明の効果に加え、雄部材の一対のガイド杆の間隔は前端へ向け漸次拡開し、雌部材の側枠の外側面は前端へ向け漸次狭窄し、ガイド杆と側枠とを接触可能に形成したこと、あるいは雄部材のガイド杆の先端を操作片における係止部よりも前方に位置する形に配設したことによって、雄部材を雌部材に対し安定した状態で保持でき、差込み操作が円滑に行え、かつ雄部材を雌部材から抜脱し難く係止頭部に過度の負荷が掛らない有効な係止が行える効果がある。
【００３０】
請求項７，８および９記載の発明は、それぞれ請求項１記載の発明の効果に加え、雌部材の側枠の外側面に雄部材のガイド杆と同形の間隔をおいて外被壁を立設し、ガイド杆を外被可能に形成したこと、または雌部材のガイド片の基部の壁面を前傾させ、雄部材のガイド杆の前端面を前傾させ、ガイド杆の凹部における基部の壁面を後傾させてそれぞれ衝合面を形成し、ガイド片とガイド杆が衝止可能に形成したこと、あるいは雌部材のガイド片の基部に間隙部を凹設し、雄部材のガイド杆の前端下面に間隙部に嵌入可能に突設したことによって、それぞれ下記の効果がある。
【００３１】
まず雌部材に外被壁を立設することにより、雄部材を雌部材に差込んだとき、バックルの左右方向へのがたつきを確実に阻止できる効果がある。また雌部材と雄部材にそれぞれ衝合面を形成することにより、雄部材を雌部材に差込んだとき、バックルの上下方向へのがたつきを確実に阻止できる効果がある。さらに雌部材に間隙部、雄部材に突部を設けたことにより、雄部材を雌部材に差込んだとき、バックルの前後方向へのがたつきを確実に阻止できる効果がある。
【００３２】
請求項１０記載の発明は、請求項１記載の発明の効果に加え、雄部材の操作片は基杆の下部から前方へ突設して弾発可能に形成したことによって、雄部材の操作片が基杆の一部である下部から突出しているので、操作片を薄く形成でき弾性変形が容易にでき、雄部材と雌部材との挿脱操作が簡易に行える効果があるなど、この発明が奏する効果はきわめて顕著である。
【発明を実施するための最良の形態】
【００３３】
この発明の差込みタイプのバックルは、雄部材１と雌部材２から形成され、雄部材１も雌部材２も共にポリアミド、ポリアセタール、ポリプロピレン、ポリブチレンテレフタレートなどの熱可塑性樹脂を用いて射出成形手段によって一体成形して形成する。雄部材１は差込み方向と逆側にベルト取付用の取付杆４、そして間隔をおいて基杆５を側枠６に架設し、この基杆５の前面に一対のガイド杆９を両側から前方へ突出する形で設け、しかも一対のガイド杆９の間に差込み方向の先端に上方へ膨出する係止頭部１１を備えた広幅状の操作片１０を弾発できる形に突設し、係止頭部１１の基部１２に雌部材２と係止できる係止部１３を形成する。
【００３４】
雌部材２は、両側に設けた側枠２２間にベルト取付用の取付杆２０と、雄部材１との係止機構を備えた係止杆２１とを架設し、係止杆２１の内側縁部に係止機構としての被係止部２５を形成し、側枠２２間であって係止杆２１の下面に雄部材１の係止頭部１１が自由に挿通できる挿通部２３を設け、側枠２２の外側にガイド片２６を一体に突設して雄部材１のガイド杆９をガイドできるように形成した雄部材１と雌部材２とから形成された差込みタイプのバックルである。
【実施例１】
【００３５】
図１〜９に示す実施例１の差込みタイプのバックルについて説明すると、バックルは熱可塑性樹脂製の雄部材１と雌部材２とから形成され、雄部材１は両側の側枠６の一端にベルトＢを取付けるための取付杆４を架設し、取付杆４は側枠６の下側へ偏倚して設けられ、この取付杆４と間隔をおいて基杆５を架設し、取付杆４と基杆５との間にベルトＢが挿通できる挿通孔７を設ける。基杆５の両側における側枠６の前方へ一定の厚さで角柱状のガイド杆９を一対突設し、この一対のガイド杆９の間隔は先端側が漸次拡開する先細状に形成し、ガイド杆９の下面には先端から基杆５の付根まで凹陥状の凹部１４を設け、両ガイド杆９間には基杆５の頂面から表面が傾斜し下面が水平の広幅の操作片１０を弾発ができるように突出状に設け、この操作片１０の先端に上方へ膨出する係止頭部１１を設け、この係止頭部１１の上面は先端へ向けて傾斜させて先端部分を薄く形成し、係止頭部１１の後端の基部１２に壁面状の係止部１３を形成する。
【００３６】
雌部材２は両側の側枠２０の一端にベルトＢを取付るための取付杆２０を架設し、側枠２２は途中で内方へ略クランク状に屈曲し、この屈曲した部分に雄部材１の係止頭部１１を係止することができる係止杆２１を架設する。この係止杆２１の下面は上端から内側縁に向かって傾斜して先端に係止部１３と係止できる鋭角状の被係止部２５を形成し、さらに図５に示すように係止杆２１の下面に側枠２２の付根から付根まで凹陥状の係止頭部１１が自由に挿通できる挿通部２３を凹設する。
【００３７】
取付杆２０と係止杆２１の間であって側枠２２間の間隔が広い部分にベルトＢが挿通できる挿通孔３３を設けるとともに、左右の側枠２２がクランク状に内方へ屈曲した縮小部分に挿通孔３３と一体に上下に貫通する開口部２４を設け、雌部材２に挿通された雄部材１の係止頭部１１を上方から押圧できるように形成する。側枠２２が内方へ屈曲し、間隔が縮小された部分の側枠２２の外側面に、広幅部分の側枠２２から延長する形で、雄部材１のガイド杆９の外形と一致する凹部２７を側枠２２の下部から突設してガイド片２６を形成し、このガイド片２６を雄部材１の挿脱の際ガイド杆９をガイドする。
【００３８】
この差込みバックルの作用を説明すると、最初は図６に示すように、雄部材１と雌部材２とを対向させて差込み操作を行うが、この差込み操作の際、雌部材２に対し雄部材１が完全に水平状態で対向しなくとも、多少雄部材１が上方へずれても係止杆２１の下面が斜面であるため、雄部材１の係止頭部１１を下方へ修正して正常な状態へ戻し、図７に示すように操作片１０の先端を係止杆２１の挿通部２３に誘導し、操作片１０の係止頭部１１を被係止部２５によって下方へ押圧し、このときガイド杆９はガイド片２６上を摺接して進行し、図８に示すように係止部１３は被係止部２５と係止し、雄部材１と雌部材２とは係合し連結される。
【００３９】
また雄部材１を雌部材２に差込む際、図９に示すように雄部材１を多少傾けて挿入しても一定の所でガイド杆９がガイド片２６に当接して水平状態に修正誘導し、差込み操作が容易に行うことができる。なお係止頭部１１の先端の隅角部分を大きく円弧状または斜面状に形成すると、雄部材１の差込みが多少左右にずれても容易にガイド杆９の傾斜した内側面および側枠２２の傾斜した外側面によって、修正して挿入させることができる。
【実施例２】
【００４０】
図１０に示す実施例２の差込みタイプのバックルは、雄部材１が側枠６の一端にベルト取付用の取付杆４と基杆５とを架設し、この基杆５の中央に広幅の操作片１０を前方へ突設し、操作片１０の先端側に係止頭部１１を上方へ突設して基部１２に係止部１３を設け、この操作片１０の両外側に一対のガイド杆９を前方へ突設し、ガイド杆９は先細状で内側面に斜面を形成し、ガイド杆９の下面には凹部１４を形成するとともに、ガイド杆９の外側面に先端から基杆５の付根までの間を切欠した凹欠部１８を凹設する。
【００４１】
雌部材２は側枠２２の一端にベルト取付用の取付杆２０を架設し、側枠２２は途中から略クランク状に屈曲し、縮小間隔の側枠２２間に係止杆２１を架設してその内側縁部に被係止部２５を設けるとともに、係止杆２１の下面に挿通部２３を設け、取付杆２０と係止杆２１の間に開口部２４を形成する。また側枠２２の一部は途中で屈曲することなく前方へ直線状に分岐して延長し、雄部材１のガイド杆９の外側面に形成した凹欠部１８に嵌入重合し、ガイド杆９を包被できる外被壁２９を立設する。側枠２２の屈曲した部分と外被壁２９との間には、底部分にガイド片２６が架設されて凹部２７が凹設された差込みタイプのバックルである。
【００４２】
このバックルは、雌部材２に雄部材１を差込んだとき、被係止部２５と係止部１３とが係止して雌部材２と雄部材１とが係合し連結され、また雄部材１のガイド杆９が雌部材２の外被壁２９がガイド杆９の外側面に形成した凹欠部１８に嵌入する。従って雄部材１のガイド杆９は両側を雌部材２の屈曲した側枠２２と外被壁２９とによって挟持包被され、バックルの左右方向へのがたつきを完全に阻止できる。なお凹欠部１８および外被壁２９の大きさは適宜変更することができる。
【実施例３】
【００４３】
図１１，１２に示す実施例３の差込みタイプのバックルは、雄部材１が側枠６の一端にベルト取付用の取付杆４と基杆５を架設し、この基杆５の中央に広幅の操作片１０を前方へ突設し、操作片１０の先端側に係止頭部１１を上方へ突設して基部１２に係止部１３を設け、この操作片１０の両外側に一対のガイド杆９を前方へ突設し、ガイド杆９は先細状に内側面が斜面を形成し、ガイド杆９の下面には凹部１４を形成する。
【００４４】
雌部材２は側枠２２の一端にベルト取付用の取付杆２０を架設し、側枠２２は途中から略クランク状に屈曲してその間に係止杆２１を架設して、内側縁部に被係止部２５を設けるとともに、係止杆２１の下面に挿通部２３を設け、取付杆２０と係止杆２１の間に開口部２４を形成し、屈曲した側枠２２の外側面の下部にガイド片２６を突設して雄部材１のガイド杆９に設けた凹部１４に嵌入する。
【００４５】
このバックルは、雌部材２の屈曲した側枠２２の外側に設けたガイド片２６の根元すなわち雄部材１のガイド杆９の先端と当接する壁面２８を前傾すなわち上面が突出する斜面に形成して衝合面３０を形成し、またガイド片２６の前端面すなわち雄部材１の基杆５と当接する部分を前傾すなわち上面が突出する斜面に形成して衝合面３０を形成する。一方雄部材１はガイド杆９の前端面を後傾すなわち上面が後退する斜面に形成して衝合面１６を形成し、またガイド杆９の下面に設けた凹部１４の根元の壁面１７を後傾すなわち上面が後退する斜面に形成して衝合面１６を形成する。
【００４６】
このバックルの作用は、雄部材１を雌部材２に差込んだとき、雄部材１のガイド杆９における前端の衝合面１６と雌部材２のガイド片２６における根元の衝合面３０とが当接し、また雌部材２のガイド片２６における先端の衝合面３０と雄部材１のガイド杆９における根元の衝合面１６とが当接し、それぞれの衝合面１６と衝合面３０とが衝止することにより、バックルの上下方向すなわち表裏方向のがたつきを完全に阻止できる。なお衝合面１６，３０の傾斜角度は適宜変更することができる。
【実施例４】
【００４７】
図１３，１４に示す実施例４の差込みタイプのバックルは、雄部材１が側枠６の一端にベルト取付用の取付杆４と基杆５を架設し、この基杆５の中央に広幅の操作片１０を前方へ突設し、操作片１０の先端側に係止頭部１１を上方へ突設して基部１２に係止部１３を設け、この操作片１０の両外側に一対のガイド杆９を前方へ突設し、ガイド杆９は先細状を呈し内側面に斜面を形成し、ガイド杆９の下面には凹部１４を形成する。
【００４８】
雌部材２は側枠２２の一端にベルト取付用の取付杆２０を架設し、側枠２２は途中から略クランク状に屈曲してその間に係止杆２１を架設して、内側縁部に被係止部２５を設けるとともに、係止杆２１の下面に挿通部２３を設け、また取付杆２０と係止杆２１の間に開口部２４を形成し、屈曲した側枠２２の外側面の下部にガイド片２６を突設して雄部材１のガイド杆９に設けた凹部１４に嵌入する。
【００４９】
このバックルは、雌部材２の屈曲した側枠２２の外側に設けたガイド片２６の根元すなわち雄部材１のガイド杆９の先端と当接する壁面２８の近傍にガイド片２６を一定範囲切欠して空隙を呈する間隙部３１を形成する。また雄部材１のガイド杆９の下面先端に前記間隙部３１に嵌入することができる突部１５を凹部１４に突設する。
【００５０】
このバックルの作用は、雄部材１を雌部材２に差込んだとき、雄部材１のガイド杆９における先端の突部１５が雌部材２のガイド片２６における根元に形成した間隙部３１に嵌入し、ガイド杆９とガイド片２６が重合し係合する。従って間隙部３１と突部１５との係合によって、バックルの前後方向へのがたつきを完全に阻止できる。なおガイド片２６に切欠して設けた空隙状の間隙部３１をガイド片２６の面上に凹陥状の間隙部３１を凹設してもよい。
【実施例５】
【００５１】
図１５〜１７に示す実施例５の差込みタイプのバックルは、雄部材１が側枠６にベルト取付用の取付杆４と基杆５を架設し、この基杆５の中央に広幅の操作片１０を前方へ突設するが、前記の各実施例で説明した操作片１０と多少異なる形態を備えている。たとえば操作片１０は基杆５の前面の下部から前方へ一定の厚さで突出する形に設けた以外の形態は、実施例１の雄部材１の形態と同一である。
【００５２】
このバックルは、雌部材２に雄部材１を差込んだとき、操作片１０が薄く形成しているため、小さな挿入力でも容易に操作片１０が弾性変形することができるので、雄部材１の雌部材２に対する挿脱操作がきわめて簡易に行うことができる。
【００５３】
以上、この発明の差込みタイプのバックルについて、各種の実施形態を説明したが、この形態のみに限らず数種の実施形態を組み合わせてもよい。たとえば図１０，１１，１３，１５の実施形態を併用することも可能であり、各実施形態のバックルは構造上きわめて薄型の差込みタイプのバックルに仕上げることができる。
【産業上の利用可能性】
【００５４】
この発明は差込みタイプのバックルの活用例として、バックルは薄型であって小型のバックルに形成できるので、衣服全般は勿論バッグなどに用いるが、特に女性の肌着たとえばブラジャーなどに用いると、背中の中央に配するから操作するためにはワンタッチで迅速かつ簡単に挿脱できる条件が必要であるが、この点この条件を満たした最適な差込みタイプのバックルといえる。
【図面の簡単な説明】
【００５５】
【図１】差込みタイプのバックルにおける雌部材と雄部材の斜視図である。（実施例１）
【図２】同上バックルの使用状態を示す斜視図である。（実施例１）
【図３】同上バックルの雌部材と雄部材の係止状態を示す正面図である。（実施例１）
【図４】同上バックルの図３のＡ−Ａ断面図である。（実施例１）
【図５】同上バックルの図３のＢ−Ｂ断面図である。（実施例１）
【図６】同上バックルの使用態様を示し雌部材と雄部材とを対向させた状態を示す断面図である。（実施例１）
【図７】同上バックルの使用態様を示し雌部材と雄部材を差込んだ初期の状態を示す断面図である。（実施例１）
【図８】同上バックルの使用態様を示し雌部材と雄部材とを係合させた状態を示す断面図である。（実施例１）
【図９】同上バックルの使用態様を示し雌部材に対し雄部材を傾けて差込み状態を示す断面図である。（実施例１
【図１０】差込みタイプのバックルの雌部材と雄部材とが係合した状態を示す斜視図である。（実施例２）
【図１１】差込みタイプのバックルの雌部材と雄部材とが係合した状態を示す斜視図である。（実施例３）
【図１２】同上バックルの側面図である。（実施例３）
【図１３】差込みタイプのバックルの雌部材と雄部材の差込み前の斜視図である。（実施例４）
【図１４】同上バックルの雌部材と雄部材の係合状態を示す斜視図である。（実施例４）
【図１５】差込みタイプのバックルの雌部材と雄部材の差込み前の斜視図である。（実施例５）
【図１６】同上バックルの雌部材と雄部材の係合状態を示す正面図である。（実施例５）
【図１７】同上バックルの図１６のＣ−Ｃ断面図である。（実施例５）
【図１８】公知の差込みタイプのバックルの正面図である。
【図１９】他の公知の差込みタイプのバックルの斜視図である。
【符号の説明】
【００５６】
１            雄部材
２            雌部材
４            取付杆（雄部材）
５            基杆
６            側枠（雄部材）
９            ガイド杆
１０            操作杆
１１            係止頭部
１２            基部
１３            係止部
１４            凹部（雄部材）
１５            突部
１６            衝合面（雄部材）
１７            壁面（雄部材）
２０            取付杆（雌部材）
２１            係止杆
２２            側枠（雌部材）
２３            挿通部
２４            開口部
２５            被係止部
２６            ガイド片
２７            凹部（雌部材）
２８            壁面（雌部材）
２９            外被壁
３０            衝合面（雌部材）
３１            間隙部
【図１】
2005058442.tif 000003
【図２】
2005058442.tif 000004
【図３】
2005058442.tif 000005
【図４】
2005058442.tif 000006
【図５】
2005058442.tif 000007
【図６】
2005058442.tif 000008
【図７】
2005058442.tif 000009
【図８】
2005058442.tif 000010
【図９】
2005058442.tif 000011
【図１０】
2005058442.tif 000012
【図１１】
2005058442.tif 000013
【図１２】
2005058442.tif 000014
【図１３】
2005058442.tif 000015
【図１４】
2005058442.tif 000016
【図１５】
2005058442.tif 000017
【図１６】
2005058442.tif 000018
【図１７】
2005058442.tif 000019
【図１８】
2005058442.tif 000020
【図１９】
2005058442.tif 000021